(57)【要約】【課題】  組立時の容易さを維持しつつ、搬送性がよくなるようにする。【解決手段】  折り曲げ可能に直列して連結された複数の側壁部１ａ、５ａからなる内側壁部材１及び外側壁部材５と、該両側壁部材１、５を角環状に組み立てた際に形成されるいずれか一方側の開口部に取り付けられる底部材１０と、底部材１０が嵌め込まれる反対側の開口部において載置される蓋部材１１とを備える。【選択図】図１
2007204109.tif 000002
【特許請求の範囲】
【請求項１】
折り曲げ可能に直列して連結された複数の側壁部（１ａ、５ａ）からなる側壁部材（１、５）と、
該側壁部材（１、５）を角環状に組み立てた際に形成されるいずれか一方側の開口部に取り付けられる底部材（１０）とを備えることを特徴とする折箱用資材。
【請求項２】
上記側壁部材（１、５）は、内外二重構造となるよう、外側壁部材（５）と内側壁部材（１）とで構成され、該内側壁部材（１）は、外側壁部材（５）に対し、該外側壁部材（５）の側壁部（５ａ）の整数個分だけずれた状態で部分的に貼り合わせられてなることを特徴とする請求項１に記載の折箱用資材。
【請求項３】
上記底部材（１０）は、その周縁部が内側壁部材（１）又は外側壁部材（５）の内面に長手方向に沿って形成される挿入用溝（１ｃ）に嵌め込まれることにより取り付けられてなることを特徴とする請求項１又は２に記載の折箱用資材。
【請求項４】
上記外側壁部材（５）は、底部材（１０）が嵌め込まれる反対側の開口部において、内側壁部材（１）よりも延出されるような幅寸法に形成され、該外側壁部材（５）と内側壁部材（１）とで形成される段部に載置される蓋部材（１１）をさらに備えることを特徴とする請求項１乃至３のいずれか１項に記載の折箱用資材。
【請求項５】
上記側壁部材（１、５）は、帯板に対し幅方向にＶ字形状の折曲用溝（１ｂ、５ｂ）が複数形成されることにより構成されてなることを特徴とする請求項１乃至４のいずれか１項に記載の折箱用資材。
【発明の詳細な説明】
【技術分野】
【０００１】
本発明は、折り曲げ可能に直列して連結された複数の側壁部からなる側壁部材を備えた折箱用資材に関する。
【背景技術】
【０００２】
従来のこの種の折箱用資材は、例えば横方向に連設された複数の側壁部と、該各側壁部の下端に連設された底壁部と、適所に設けられた糊しろ部とを備えている。そして、展開された状態の折箱用資材の各糊しろ部を貼り合わせることによって、各側壁部及び底壁部より折箱が組み立てられるよう、また、組み立てた折箱を折り畳めるように構成されている。
【０００３】
さらに、他の従来例としては、折箱用資材を組み立てた折箱内部に、複数の空間を形成するための仕切り板を別途設けたものも公知になっている（特許文献１参照）。
【特許文献１】特許第２７６０７６６号公報
【発明の開示】
【発明が解決しようとする課題】
【０００４】
ところで、上記いずれの折箱用資材も、納品する際には、搬送効率をよくすることと、納品先での組立作業を容易にすることを考慮して、折り畳まれた状態の折箱を搬送しているのが一般的である。即ち、折り畳まれた状態の折箱を搬送するには、展開された状態の折箱用資材を糊付けする作業と、糊付け後に折り畳む作業とが必要になり、その分手間がかかるという問題がある。
【０００５】
また、折箱用資材が剛性を有する肉厚のものであれば、折り畳んでも嵩張る場合があり、搬送効率が低くなるという問題もある。
【０００６】
そこで、本発明は、上記問題点を鑑み、組立時の容易さを維持しつつ、搬送性がよくなるような折箱用資材を提供することを課題とする。
【課題を解決するための手段】
【０００７】
本発明に係る折箱用資材は、折り曲げ可能に直列して連結された複数の側壁部１ａ、５ａからなる側壁部材１，５と、該側壁部材１、５を角環状に組み立てた際に形成されるいずれか一方側の開口部に取り付けられる底部材１０とを備えることを特徴とする。
【０００８】
この場合、折り曲げ可能な側壁部１ａ、５ａが直列して連結されているため、各側壁部１ａ、５ａを折り曲げるだけで、両端の側壁部１ａ、５ａが突き合わせられ、折箱の側壁部を角環状に容易に組み立てられる。しかも、角環状の一方側の開口部を底部材１０で閉塞すれば、簡単に折箱を組み立てられる。
【０００９】
さらに、搬送する際は、側壁部材１、５と底部材１０とが別体であるので、展開した状態の側壁部材１、５と、底部材１０とを個別に搬送でき、一度に多くの折箱用資材を搬送できる一方、従来のように搬送前の予備工程（糊付け作業と、その後の折り畳み作業）が不要になる。
【００１０】
また、本発明の折箱用資材は、側壁部材１、５を、内外二重構造となるよう、外側壁部材５と内側壁部材１とで構成し、該内側壁部材１を、外側壁部材５に対し、該外側壁部材５の側壁部５ａの整数個分だけずれた状態で部分的に貼り合わせるような構成を採用することもできる。
【００１１】
この場合、組み立てられる折箱は、外側の各側壁部５ａと内側の各側壁部１ａが重なり合って（面接合）、外側壁部材５が内側壁部材１を囲繞することになり、折箱の側壁が二重構造にでき、充分な強度を確保できる。
【００１２】
そして、内側壁部材１を、外側壁部材５に対し、外側壁部材５の側壁部５ａの整数個分だけずれた状態で部分的に貼り合わせるようにしたので、外側の各側壁部５ａと内側の各側壁部１ａの貼り合わせの位置によって、展開した状態の収納スペースの大きさ、及び組み立てた状態の強度が決定される。したがって、これらを考慮して貼り合わせの位置を適宜選択することが好ましい。
【００１３】
例えば、一方端の外側の側壁部５ａと他方端の内側の側壁部１ａとが重なるように貼り合わせた場合は、展開した状態の長さが大きくなるが、両端の外側の側壁部５ａの突き合わせの位置と、両端の内側の側壁部１ａの突き合わせの位置とが異なる位置になるので強度は確保できる。
【００１４】
また、一方端の外側の側壁部５ａと他方端の内側の側壁部１ａを除くよう、残りの外側の側壁部５ａ及び内側の側壁部１ａを貼り合わせるようにすれば、展開した状態の長さが小さくなり搬送しやすくて、組立時の強度も確保できる。
【００１５】
さらに、各側壁部１ａ、５ａの貼り合わせは部分的であるので、効率よく貼り合わせ作業が行える。
【００１６】
また、本発明の折箱用資材は、底部材１０の周縁部を、内側壁部材１又は外側壁部材５の内面に長手方向に沿って形成される挿入用溝１ｃに嵌め込むような構成を採用することもできる。
【００１７】
この場合、底部材１０の周縁部を、内側壁部材１、又は外側壁部材５の内面に形成された挿入溝１ｃに挿入した状態で、各側壁部１ａ、５ａを折り曲げれば、簡単に有底筒状の折箱を組み立てられる。しかも、底部材１０の周縁部が内側壁部材１、又は外側壁部材５の挿入溝１ｃによって挿入支持されるので、底部材１０の支持強度も確保できる。なお、外側壁部材５に挿入溝を形成する場合は、内側壁部材１よりも幅寸法を大きくする必要がある。
【００１８】
また、本発明の折箱用資材は、外側壁部材５を、底部材１０が嵌め込まれる反対側の開口部において、内側壁部材１よりも延出されるような幅寸法に形成し、該外側壁部材５と内側壁部材１とで形成される段部に載置される蓋部材１１をさらに備えるような構成を採用することもできる。
【００１９】
この場合、外側壁部材５と内側壁部材１とで形成される段部に蓋部材１１を載置するだけでよく、蓋付きの折箱を簡単に組立できる。
【００２０】
また、本発明の折箱用資材は、側壁部材１、５を、帯板に対し幅方向にＶ字形状の折曲用溝１ｂ，５ｂを複数形成することにより構成するようにしてもよい。
【００２１】
この場合、折曲用溝１ｂ、５ｂの両側の壁面が各側壁部１ａ、５ａを折り曲げた際に当接することで、折箱の各角部の角度が容易に決まる。即ち、各側壁部１ａ、５ａを折り曲げるだけで所望の多角形状の折箱を迅速に組み立てられる。しかも、各側壁部１ａ、５ａのそれぞれの連結部の強度を確保できると共に、折箱全体の強度がより向上される。
【発明の効果】
【００２２】
以上説明したように、本発明の折箱用資材は、側壁部材が帯板であるので嵩張らず、搬送しやすい効果がある。さらに、側壁部材の各側壁部が折り曲げ可能に直列して連結されるので、各側壁部を折り曲げるだけで角環状体を形成できるため、この角環状体のいずれか一方の開口部を底部材で閉塞すれば簡単に有底筒状の折箱を組立できる効果がある。
【発明を実施するための最良の形態】
【００２３】
以下、本発明の一実施形態に係る折箱について、添付図面を参照しつつ説明する。
【００２４】
本実施形態に係る折箱は、図１に示すように、帯板状の内側壁部材１と、該内側壁部材１を囲繞できる大きさの帯板状の外側壁部材５と、角環状に組み立てられた内側壁部材１の一方（下側）の開口部を閉塞するための平面視四角形状の底部材１０と、角環状の内側壁部材の他方（上側）の開口部を閉塞するための、該底部材１０よりも少し大きい蓋部材１１とから構成されている。なお、折箱用資材として使用される材料は、紙材、木材、合成樹脂材のいずれであってもよく、これらの材料を組み合わせて使用してもよい。
【００２５】
内側壁部材１は、図２（イ）、（ロ）に示すように、折り曲げ可能に直列して連結された矩形状の複数の側壁部１ａを有している。しかも、該各側壁部１ａは、Ｖ字形状の折曲用溝１ｂが側壁部１ａの短辺（幅方向）に沿って形成されている。さらに、内側壁部材１の一方の長辺端部に沿って、底部材１０の周縁部が挿入される挿入用溝１ｃが形成されている。
【００２６】
外側壁部材５は、内側壁部材１と同様に、矩形状の複数の側壁部５ａが折曲用溝５ｂによって折り曲げ可能に直列して連結されている。しかも、側壁部５ａの長辺は、各側壁部１ａの長辺よりも若干大きく、外側壁部材５を角環状に組み立てた際、角環状の内側壁部材１の外側を囲繞できる大きさになっている。加えて、内側壁部材１の短辺は、外側壁部材５の短辺よりも小さくなっている。
【００２７】
そして、一方端の側壁部５ａと他方端の側壁部１ａを除いて、残りの各側壁部５ａが外側に、各側壁部１ａが内側になるよう重ね合わされると共に、外側壁部材５の一方（下側）の長辺端部と、内側壁部材１の挿入用溝１ｃが形成されている側（下側）の長辺端部とを互いに揃えた状態で重ね合わされており、外側壁部材５の一方端から二つめの側壁部５ａと、内側壁部材１の一方端の側壁部１ａとが部分的に貼り合わされている（図２（ロ）の太線部位参照）。
【００２８】
この貼り合わせによって、外側壁部材５が、底部材１０が嵌め込まれる反対側の開口部において、内側壁部材１よりも延出されるような幅寸法に形成されている。即ち、外側壁部材１の他方（上側）の長辺端部と、内側壁部材５の他方（上側）の長辺端部とに段差が生じ、折箱を組み立てる際、この段差部１５に蓋部材１１が載置される。
【００２９】
また、両端の側壁部５ａの短辺端部と、両端の側壁部１ａの短辺端部とに、傾斜面１ｄ、５ｃが形成されており、該傾斜面１ｄ、５ｃ同士を突き合わせた際、傾斜面１ｄ、５ｃが面接合（合致）することになって、各角部が略直角のきれいな角環状が形成される。傾斜面１ｄ、５ｃ同士の突き合わせによって、外力に対して最も弱い突き合わせ部位の強度を確保できる。
【００３０】
つぎに折箱の組立手順について説明する。まず、図２（イ）、（ロ）に示すように、外側壁部材５を下側にした状態で、外側壁部材５及び内側壁部材１を展開し、内側壁部材１の側壁部１ａの挿入溝１ｃに底部材１０の周縁部（一辺端部）を挿入し、続いて、底部材１０の残りの各辺端部を各側壁部１ａの挿入溝１ｃに挿入しながら、各側壁部１ａによって四角形状の開口部が形成されるよう折り曲げて、両端の側壁部１ａの短辺端部の傾斜面１ｄを互いに当接させて貼り合わせる。
【００３１】
その後、外側壁部材５の各側壁部５ａを、各側壁部１ａに当接して、両端の側壁部５ａの短辺端部の傾斜面５ｃを互いに面接合させて貼り合わせて有底筒状体を形成する。最後に、外側壁部材５と内側壁部材１との段差部１５に、蓋部材１１を載置して上側の開口部を閉塞し、折箱を完成させる。
【００３２】
なお、前記実施形態の場合、外側壁部材５と内側壁部材１との二重構造としたが、一つの側壁部材で構成してもよい。
【００３３】
また、前記実施形態の場合、組み立てられる折箱として、多角柱状としているが、円柱状、楕円柱状を含む非円形の柱体も組み立てられる。但し、この場合、展開した状態で外側壁部材５及び内側壁部材１を搬送しようとすると、嵩張ることになるので多角柱状であることが好ましい。
【００３４】
さらに、前記実施形態の場合、内側壁部材１の挿入溝１ｃを一方の長辺端部に沿って形成するようにしたが、他方の長辺端部にも形成するようにしてもよい。この場合、両側の開口部が閉塞されるので、一方の閉塞部材に穴を穿設すると共に、該穴を開閉する開閉部材を設ける必要がある。
【図面の簡単な説明】
【００３５】
【図１】本発明の一実施形態に係る折箱用資材を示す斜視図。
【図２】（イ）は展開した状態の外側壁部材と内側壁部材を示す平面図、（ロ）は展開した状態の外側壁部材と内側壁部材を示す側面図。
【符号の説明】
【００３６】
１…内側壁部材、１ａ…側壁部、１ｂ…折曲用溝、１ｃ…挿入用溝、１ｄ…傾斜面、５…外側壁部材、５ａ…側壁部、５ｂ…折曲用溝、５ｃ…傾斜面、１０…底部材、１１…蓋部材、１５…段差部
【図１】
2007204109.tif 000003
【図２】
2007204109.tif 000004